(57)【特許請求の範囲】
【請求項１】
ボトルボディー；
前記ボトルボディー上のネック；
前記ネック上のヘッド；
前記ヘッドおよび前記ネックの間の第一分離領域；
前記ネックおよび前記ボトルボディーの間の第二分離領域；および
前記第一分離領域および前記第二分離領域の間にある前記ネック内に配置されており、そして前記ネックをシールしかつ前記ネックの一部により包囲されているエラストマープラグ、
を含むプラスティックボトル。
【請求項２】
前記第一および第二分離領域が異なる内径を有する請求項１記載のプラスティックボトル。
【請求項３】
前記分離領域が薄くなった壁厚さのボトル壁セクションを含む請求項１記載のプラスティックボトル。
【請求項４】
前記分離領域の片方が、それに隣接して、前記分離領域の片方を手で破壊するための手段を有する請求項３記載のプラスティックボトル。
【請求項５】
前記分離領域の他の片方が、それに隣接して、前記分離領域の他の片方をツールで破壊するためのツールを取り付ける手段を有する請求項４記載のプラスティックボトル。
【請求項６】
前記分離領域の片方が、それに隣接して、前記分離領域の片方をツールで破壊するためのツールを取り付ける手段を有する請求項３記載のプラスティックボトル。
【発明の詳細な説明】
【０００１】
【発明の属する技術分野】
本発明はヘッドとネックとの間に１つの分離領域およびネックとボトルボディーとの間にまたはそれに隣接して第二分離領域を有するプラスティックボトル、並びにその製造方法に関する。
【０００２】
【従来の技術】
医薬液体用ボトルは独国特許出願公開第３０３３８２１Ａ１号に開示されている。ネックはボトルボディー上に作られており、そしてヘッドはネック上に作られている。ヘッドはシールでボトルを閉じている。ヘッドとネックとの間に提供された分離ポイントを開け、そしてネック中に挿入されているプラグを露出させるように、ヘッドをトグルによりネックからひねり開けるか、または捩じり開けることができる。ボトルから内容物を取り出すためにシリンジまたはインジェクターによりプラグを突き刺すことができる。しかし、内容物の取り出しのためのこれらの手法は全ての用途のために充分であるわけではない。
【０００３】
【発明が解決しようとする課題】
本発明の目的はボトル内容物を取り出すために異なる手法が可能である改善されたボトルを提供すること、および、その製造方法を提供することである。
【０００４】
【課題を解決するための手段】
上記の目的は、ボトルボディー、前記ボトルボディー上のネックおよび前記ネック上のヘッドを含むプラスティックボトルによって基本的に達成される。第一分離ポイントまたは領域はヘッドとネックとの間にある。第二分離ポイントまたは領域はネックおよびボトルボディー付近にある。
【０００５】
上記の目的は、また、ボトルボディー、前記ボトルボディー上のネック、前記ネック上のヘッドを有するプラスティックボトルを形成するように、吹込成形装置または吸引成形装置中にプラスティックパリソンを押出する工程、ヘッドとネックとの間の第一分離領域を形成させる工程、および、ネックおよびボトル付近に第二分離領域を形成させる工程を含むプラスティックボトルを製造する方法により達成される。
【０００６】
少なくとも１つの追加の分離ポイントまたは領域は、ネックにおいて、および／または、ネックとボトルボディーとの間またはその付近において提供されるので、幾つかの可能な手法は、好ましいことに、医薬液体のボトルからの取り出しに用いられることができる。ボトルが分離領域で異なる内径を有するときには、追加の分離領域は、例えば、液体を注ぎだすことにより、ボトルから液体を取り出すことができるような形状であることができる。本発明のボトルは、また、２つより多くの分離領域を有することもできる。
【０００７】
有利には、分離領域は所定の破壊ポイントが薄くなった壁厚さを有するような形状である。独国特許出願公開第３８２３４２８Ａ１号は、分離ポイントの領域においてボトル壁の特定のパターンまたは形状を開示しており、それは破壊の間にきれいな孔縁を維持するために有利である。本発明は分離領域のための所定の破壊ポイントの構造に制限されない。開放は、分離領域においてナイフ等により達成されることもできる。
【０００８】
ボトルが手で開放されようとするならば、分離のために必要な力を手で加えるための手段は、好ましくはそれぞれの分離領域付近に提供される。このような手段は、例えば、トグルまたはグリップ用くぼみであることができる。もし、分離領域において、ボトルの内径が大きすぎて、分離に必要な力が作業者の手で直接的に加えられないならば、ボトルはツールを係合させる手段を含むことができる。このような手段は、例えば、多面領域であってもまたはトグルであってもよい。
【０００９】
ボトル中の液体がシリンジで取り出されようとするならば、ボトルは取り出しプロセスの間およびその後に強固に機械的にシールされ、および／または防腐シールされたままである必要があることができる。この目的で、ネック中に好ましくはプラグを挿入し、そしてネックをシールする。もし、本発明に係る第二分離領域がプラグを取り囲んでいるネックの一部分とボトルボディーの間に提供されるならば、第二分離領域での緩みまたは取り外しは、プラグを取り囲んでいるネックの一部分とともにプラグ全体を取り外し、それにより、液体はボトルボディーから直接的に取り出されることができる。もし、第二分離領域がプラグ領域自体に提供されるならば、プラグを取り外し、そして再挿入して、次に異種材料の廃棄処分またはボトル残分の取り出しを行うことができる。
【００１０】
本発明に係るプラスティックボトルの製造の１つの有利な方法は吹込成形法である。ボトルは、幾つかの加工工程において、押出されたプラスティックホースまたはパリソンの単一片から形成される。これらの加工工程の間に、液体が充填され、そしてプラグが挿入される。吹込成形の替わりに、吸引成形法も用いられてよい。
【００１１】
本発明の他の目的、利点および顕著な特徴は次の詳細な説明から明らかになるであろう。ここでは、添付の図面との組み合わせで、本発明の好ましい態様を開示する。
【００１２】
プラスティックボトル１はボトルボディー２を有し、その上にネック３が作られている。ネック上に、次に、ヘッド５が作られている。ボトル１の長手方向の中心、即ち、長手軸はボトルボディー２上のネック３の配置により決まる。全体のボトル１は好ましくは２つの鏡像の同一の長手方向の半分部分を含み、それらは対称長手平面に沿ってボトル１を画定する。
【００１３】
ボトル１はヘッド５とネック３の間に分離ポイント、ラインまたは領域７を有する。分離ポイント７はボトル１の長手軸およびその対称平面に垂直な分離平面上にある。この分離平面において、ボトル１の壁は円状のデザインを有する。
【００１４】
ネックおよびボトルボディーに隣接して（即ち、ボトルボディーからネックへの転移部で、または、ネック／ボトルボディー転移部と分離領域７の間のネックで）、もう一つの分離ポイント、ラインまたは領域９が提供される。この追加の分離ポイント９もボトル１の長手軸に垂直で且つ分離ポイント７の分離平面に平行な分離平面にある。分離ポイント９において、ボトル１の壁は同様に円状デザインである。ボトル直径で比較して、ボトル１は分離ポイント９より分離ポイント７で小さいな内径を有する。例示の態様の変更において、本発明に係るボトルはボトルの長手軸に垂直に広がっていない分離平面内に分離ポイントを含むこともできる。
【００１５】
分離ポイント７および９の両方は、薄くなった壁厚さを有する所定の破壊ポイントとして形成される。各々は、くさび状断面プロファイルを有する環状の溝のベースにより形成される。ボトル１のこの壁はネック３およびヘッド５から、または、ボトルボディー２およびネック３から各分離ポイントに向かって延びており、そしてその分離ポイント７または８に向かって円錐状にテーパー型になっている。この分離平面に垂直な軸周囲に、分離されようとする部分同士を互いに回転させること、および／または、傾けることにより、所定の分離ポイント、即ち、分離ポイント７または分離ポイント９に沿って破壊される。
【００１６】
分離ポイント７の破壊のために、ヘッド７は第一トグル１１を含み、そしてネック３は第二トグル１３を含む。分離ポイント７の破壊は、その後、トグル１１および１３を互いに手で捩じり、および／または傾けることにより起こる。図３は破壊された分離ポイント７を有するボトル１を示す。
【００１７】
分離ポイント９においてボトルを開けるために、第二トグル１３上にツールが挿入されてよい。このツールの援助で、ネック３はボトルボディー２に対して捩じられ、分離ポイント９で破壊を生じることができる。破壊された分離ポイント９を有するボトル１を図４に示す。
【００１８】
ボトル１は、分離ポイント９の領域において、分離ポイント９がツールなしに手で開けることができるような形状であってもよい。例えば、より小さな内径は分離ポイント９に提供されてよい。
【００１９】
プラグ１５はネック内に挿入され、それはネック３を機械的にシールし、そして、同時に、ボトルボディー２内部の液体を防腐性をもって保持する。プラグ１５は好ましくはエラストマーでできており、そしてシリンジまたは輸注セットの針で貫通されることができる。
【００２０】
ネック３の反対末端では、ボトルボディー２はボトム１７を有する。ボトム１７上にくくり付け部材１９が形成される。くくり付け部材１９は輸注用途のためにボトル１を吊り下げることができる。ボトルボディー２のボトム１７は、曲げまたは破壊によりくくり付け部材１７を取り外した後に、平坦な表面上にボトル１をボトム１７で安定的に置くことができるような形状である。
【００２１】
ボトルボディー２の外側には、ボトル１の液体積の測定のための目盛りを形成する一連の測定線が提供されることができる。好ましくは、２つの別個の目盛りが付けられる。一つの目盛りはボトル１がボトム１７上に静置されたときに用いられるであろう。もう一つの目盛りはボトルがくくり付け部材１９で吊り下げられたときに用いられるであろう。
【００２２】
吹込成形法または吸引成形法はボトルを製造するために用いられる。いずれの場合でも、ボトム１７およびくくり付け部材１９を有するボトルボディー２、並びに、追加の分離ポイント９を含むネックの一部分は押出されたプラスティックホースから形成される。その後、液体はボトルボディーに充填される。適切な量の液体がボトルボディーに受け入れられた後に、ネック３中にプラグ１５が挿入される。最後に、ネック３の残りおよびヘッド５は造形され、そして成形されて分離ポイント７を作り、その時、ボトル１はシールされて閉止される。
【００２３】
本発明を例示するために様々な態様が選ばれたが、様々な変更は請求項に規定した本発明の範囲から逸脱することなくなされうることが当業者に理解されるであろう。
【図面の簡単な説明】
【図１】図２のＩ−Ｉラインに沿ってとった、本発明に係るプラスティックボトルの正面図である。
【図２】図１のプラスティックボトルの側面図である。
【図３】第一分離領域でヘッドが分離されている図１のボトルの正面図である。
【図４】第二分離領域でネックが分離されている図１のボトルの正面図である。
【符号の説明】
１…プラスティックボトル
２…ボトルボディー
３…ネック
５…ヘッド
７…分離ポイント
１１…第一トグル
１３…第二トグル
１５…プラグ
１７…ボトム
１９…くくり付け部材
【図１】
0004060384.tif 000002
【図２】
0004060384.tif 000003
【図３】
0004060384.tif 000004
【図４】
0004060384.tif 000005